(57)【特許請求の範囲】
【請求項１】
複数の単位区間で形成される所定区間を１周期とし、
該１周期が第１の小周期と第２の小周期の２つの小周期に分割され、前記第１の小周期の終了時点で折り返し表示することで前記１周期を表示する、直線又は円弧で形成された表示部を有する表示装置であって、
前記第１の小周期に、前記単位区間を示すための複数の指標を有する第１の指標群を設けるとともに、前記第２の小周期に、前記単位区間を示すための複数の指標を有する第２の指標群を設け、
往復移動により、前記第１の指標群と前記第２の指標群を指示する単一の指示手段を有し、
前記第１の指標群と前記第２の指標群は、前記単一の指示手段の進行方向に沿って、それぞれ互いに前記単位区間の非自然数倍のオフセットを持って近接して配置されている
ことを特徴とする表示装置。
【請求項２】
前記円弧は、扇形の曲線部である
ことを特徴とする請求項１に記載の表示装置。
【請求項３】
前記第１の指標群を指示する第１指示部と、前記第２の指標群を指示する第２指示部は、前記単一の指示手段の回転中心から同一方向にそれぞれ設けられている
ことを特徴とする請求項１又は２に記載の表示装置。
【請求項４】
前記第１指示部と前記第２指示部のうちの少なくとも一方は、前記指標を囲む形状である
ことを特徴とする請求項３に記載の表示装置。
【発明の詳細な説明】
【技術分野】
【０００１】
本発明は、ステップモータ等の駆動手段によって駆動される指針等を備え、表示部に記されたシンボル等を指し示すことにより情報を表示する、表示装置および時計に関する。
【０００２】
特に、桁上がりを伴う連続量を表示する表示装置に関する。
【背景技術】
【０００３】
従来より、アナログ式の時計やメータ計器などのように、稼働する指針、あるいはシンボル図形等を表記した表示板などと、表示部に記された目盛やシンボル等によって、時刻などの情報を表示する表示装置があることは知られている。
【０００４】
これらには、一般的なアナログ式時計で見られるような円形の表示領域を指し示すもののほかに、メータ計器などで見られるような半円形または扇形の表示領域を指し示す所謂「レトログラード」式表示がある。
【０００５】
近年では、時刻や日付、曜日、クロノグラフの計時情報等を所謂「レトログラード」式表示で表示するアナログ式時計が流行している。
【０００６】
所謂「レトログラード」式表示で、時刻や日付等の時間量を示す場合、表示領域の一端（始点）から他端（終点）に向かって徐々にその指針が移動し、指針が終点まで到達し表示値の桁上がり（６０秒，６０分，２４時間，３１日など）が発生した場合は、指針が速やかに始点まで戻る表示が一般的である。
【０００７】
このような「レトログラード」式表示を、クロノグラフの１／１０秒、１／２０、１／１００秒表示に適用した時計も、特許文献１〜３に示すように公知である。
【０００８】
たとえば特許文献１には、扇型のクロノグラフ１／１０秒表示領域を持ち、クロノグラフ計時中、クロノグラフ１／１０秒カウンタの値に従い、クロノグラフ１／１０秒針を０／１０秒から９／１０秒までは１／１０秒毎に１目盛分正転で駆動し、９／１０秒から１０／１０秒、すなわち０／１０秒までの間に９目盛分逆転で駆動することで、クロノグラフ１／１０秒を扇型の表示領域でリアルタイムに表示する技術が開示されている。
【先行技術文献】
【特許文献】
【０００９】
【特許文献１】特許２５４２９３９号公報（第３図）
【特許文献２】特開２００７−２５６０６６号公報（図５）
【特許文献３】特表２００７−５２２４７８号公報（図１）
【発明の概要】
【発明が解決しようとする課題】
【００１０】
しかし、時間などの桁上がりを伴う連続量を表示する場合、単位時間当たりの移動量は通常は僅かであるため、即座に新たな指示位置へと指針またはシンボル等を移動することができるが、桁上がりの発生時には移動量が非常に大きくなり、移動に時間がかかるという問題がある。
【００１１】
上記問題を、図面を用いて説明する。図４は、特許文献１に記載のクロノグラフ時計のクロノグラフ１／１０秒表示をモディファイしたものである。    
【００１２】
図４（Ａ）の０／１０秒の状態から図４（Ｂ）左に示す９／１０秒の状態の状態までは、１／１０秒毎に１目盛分（１ステップ）進めるだけでよく、特に問題は無い。しかし、図４（Ｂ）に示すクロノグラフ１／１０秒が９／１０秒から１０／１０秒に桁上げ、すなわち表示としては０／１０秒となるときに、クロノグラフ１／１０秒を示す指針を１／１０秒の間に９目盛分、つまり９０Ｈｚの速度で逆転させねばならず、３２Ｈｚ程度の逆転速度が限界である一般的な通常の時計用電磁変換手段では実現が困難である。
【００１３】
このため、特許文献２においては、クロノグラフ計時中のクロノグラフ１／２０秒指針駆動を、所謂「デモ運針」としてクロノグラフ計時値と指針の指示値を同期させず、計時停止時にクロノグラフ計時値と指針の指示値を同期させる技術が開示されている。
【００１４】
しかし、特許文献２の技術では、クロノグラフ計時中はクロノグラフ計時値と指針の指示値が同期していないため、計時中の経過時間の読み取りが困難であるという課題がある。
【００１５】
特許文献３に記載のクロノグラフ時計は、クロノグラフ１／１０秒、１／１００秒の「レトログラード」式表示にあたり、ストップ操作時以外は停止していて、ストップ操作時にクロノグラフ１／１０秒、１／１００秒を表示することで上記問題を回避している。
しかし、特許文献３の技術では、普段クロノグラフ１／１０秒、１／１００秒の指針が停止しているため、時計としての演出性や面白みにかける欠点があった。
【００１６】
また、上記特許文献の技術に共通するが、通常円形の表示領域で示す情報を半円形または扇形の表示領域で指し示す場合、円形の表示領域に比べ単位目盛あたりの角度が小さくなるため、目盛が読みとりづらく、また指針の動きが小さくなってしまうため、演出性や面白みにかける表示となってしまう。
【００１７】
本発明の目的は、上記問題点を解決し、稼働する指針、あるいは表示板などに表記されたシンボル図形等と、表示部に記された目盛やシンボル等によって、時刻などの情報を表示する情報表示装置、とくに時間などの桁上がりを伴う連続量を表示する表示装置において、単位目盛あたりの指針等の移動量が大きく変化しないようすることで、リアルタイムな表示を可能とすると共に、単位目盛あたりの移動量が大きく演出性の高い表示を実現する表示装置を提供することを目的とする。
【課題を解決するための手段】
【００１８】
上記課題を解決するために、本発明の表示装置は下記のような構成を有する。
【００１９】
本発明の表示装置は、複数の単位区間で形成される所定区間を１周期とし、該１周期が、さらに少なくとも２つ以上の小周期に分割され、各小周期単位で直線状、もしくは円弧状に表示される表示装置であって、前記単位区間を示すための指標と、該指標を指示する指示手段を有し、前記各小周期に対応する指標は、前記指示手段の進行方向において、前記単位区間の非自然数倍のオフセットを持って配置されていることを特徴としている。
【００２０】
また本発明の表示装置は、前記指標が、前記複数の小周期のうちの第１の小周期に対応し、直線状、もしくは円弧状に配置される第１の指標群と、前記複数の小周期のうちの第２の小周期に対応し、直線状、もしくは円弧状に配置される第２の指標群と、を含み、さらに、前記指示手段が、該第１の指標群と該第２の指標群を指示する単一の指示手段であり、該指示手段は、前記第１の小周期では前記第１の指標群を指示し、前記第２の小周期では前記第２の指標群を指示することを特徴としている。
【００２１】
また、前記オフセット（ズレ量）は、前記単位区間の半分であることを特徴としている。
【００２２】
以上より本発明の表示装置は、１周期の表示を２つまたはそれ以上に分割して表示することで、単位区間を示すための指標を、分割しない従来のものよりも大きく表示できると共に、指標間の間隔を大きく取ることができ、指標から指標へと移動する際の指示手段の移動量を大きくすることができるため、演出性の高い表示を実現することが出来る。
【００２３】
また、本発明の表示装置は、前記第１の指標群と前記第２の指標群とが、交互にずれた形で配置されることとなり、指示手段が第１の指標群を指しているのか、第２の指標群を指しているのかを、明確に判断できるようになっている。
【００２４】
また本発明の表示装置は、前記第１の指標群と前記第２の指標群は、外観上の差異を有することを特徴とする。
【００２５】
これにより本発明の表示装置は、前記第１の指標群と前記第２の指標群を、さらに明確に判断できるようになっている。
【００２６】
また本発明の表示装置は、前記指示手段に、前記第１の指標群を指示する第１指示部と、前記第２の指標群を指示する第２指示部を有することを特徴としている。
【００２７】
これにより本発明の表示装置は、前記指示手段が前記第１の指標群と前記第２の指標群のどちらを指示しているかを、さらに明確に判断できるようになっている。
【００２８】
また本発明の表示装置は、前記第１の小周期と前記第２の小周期の区切りとなる区間に対応する指標が、前記第１の指標群と前記第２の指標群の、前記指示手段の進行方向における両端に配置されることを特徴としている。
【００２９】
また本発明の表示装置は、前記区切り指標が、前記第１の指標群や前記第２の指標群に対して、外観上の差異を有することを特徴としている。
【００３０】
これにより本発明の表示装置は、１周期の始点または終点、および１周期の半分が区切り指標に割り当てられ、それらを指示する場合に指示領域の端部を表示することとなり、利用者が１周期の経過をよりわかりやすく判断することができるようになっている。また、区切り指標はフォントや色、指標の大きさなどが他の指標とは異なっているため、よりわかりやすい表示を行うことが可能となる。
【００３１】
また本発明の表示装置は、前記第１の指標群や前記第２の指標群に付随して配置され、前記第１の小周期や前記第２の小周期における前記指示手段の進行方向を示す図形を有することを特徴としている。
【００３２】
これにより本発明の表示装置は、指示手段の指す指標を読み取る際に、指示手段の進行方向に応じた図形に付随した指標を読み取ればよく、指示手段の指す指標をよりわかりやすく読み取ることができるようになっている。
【００３３】
また本発明の表示装置は、前記小周期を折り返し表示することで前記１周期を表示することを特徴としている。
【００３４】
これにより本発明の表示装置は、１周期を示す場合に表示領域を広げることなくその１周期を２つの小周期に分割することができ、よりわかりやすい表示が可能となるとともに
、指示手段の単位区間あたりの駆動量を少なくすることができるため、指示手段の駆動に特殊な手段を使わずに表示することが可能となる。
【００３５】
また本発明の表示装置を備えたクロノグラフ時計は、前記単位が、１／（１０＾ｎ）秒（ｎ：自然数）であり、前記１周期が前記単位の１０倍であり、前記小周期が、前記第１の小周期や前記第２の小周期の２個であることを特徴としている。
【００３６】
これにより本発明の表示装置を備えたクロノグラフ時計は、１／１０秒などの表示を行うための指標を、従来のものよりも大きく表示できると共に、指標間の間隔を大きく取ることができるため、クロノグラフの計測時間経過に伴う指示手段の移動量を大きくすることができるため、演出性の高いクロノグラフ表示を実現することが出来るとともに、利用者がクロノグラフ時間の経過をよりわかりやすく、視覚的に判断することができるようになっている。
【００３７】
また本発明の表示装置を備えた日付表示付時計は、前記単位が１日であり、前記１周期が３１日であることを特徴としている。
【００３８】
これにより本発明の表示装置を備えた日付表示付時計は、日付を表すための指標を従来のものよりも大きく表示できると共に、指標間の間隔を大きく取ることができるため、演出性の高い日付表示を実現することが出来るとともに、利用者が現在の日付をよりわかりやすく、視覚的に判断することができるようになっている。
【００３９】
また本発明の表示装置を備えた月齢表示付時計は、前記１周期が月齢周期であり、前記指標が、月齢周期中の月の形状であることを特徴としている。
【００４０】
これにより本発明の表示装置を備えた月齢表示付時計は、月齢を表すための指標を従来のものよりも大きく表示できると共に、指標間の間隔を大きく取ることができるため、演出性の高い月齢表示を実現することが出来るとともに、利用者が月齢をよりわかりやすく、視覚的に判断することができるようになっている。
【発明の効果】
【００４１】
上記のように、本発明によれば、稼働する指針、あるいは表示板などに表記されたシンボル図形等と、表示部に期された目盛やシンボル等によって、時刻などの情報を表示する表示装置、とくに時間などの桁上がりを伴う連続量を表示する表示装置において、単位指標あたりの移動量が大きく取れて演出性の高い表示を実現する表示装置を提供することが可能となるとともに、単位指標当たりの移動量が変化せず、リアルタイムな表示を可能とする表示装置を提供することが可能である。
【図面の簡単な説明】
【００４２】
【図１】本発明の第１の実施の形態における電子時計１の形態を示す概略図である。
【図２】本発明の第１の実施の形態における電子時計１の、１／１０秒表示部５の形態及び動作を示す図である。
【図３】本発明の第１の実施の形態における電子時計１の、１／１０秒表示目盛５１の配置を示した図である。
【図４】従来の電子時計の１／１０秒表示の形態及び動作を示す図である。
【図５】本発明の第１の実施の形態の第１の変形例における電子時計１の、１／１０秒表示部５の形態を示す図である。
【図６】本発明の第１の実施の形態の第２の変形例における電子時計１の、１／１０秒表示部５の形態を示す図である。
【図７】本発明の第２の実施の形態における電子時計１の形態を示す概略図である。
【図８】本発明の第２の実施の形態における電子時計１の、日付表示部７の形態及び動作を示す図である。
【図９】本発明の第３の実施の形態における電子時計１の形態を示す概略図である。
【図１０】本発明の第２の実施の形態における電子時計１の、月齢表示部８の形態及び動作を示す図である。
【発明を実施するための形態】
【００４３】
〔第１の実施の形態〕
以下に、本発明の第１の実施の形態に係わる電子時計１を図１から図１から３に基づいて説明する。
第１の実施形態は本発明をクロノグラフ機能付き時計に適用したものである。
【００４４】
なお、本第１の実施の形態は、本発明の基本実施形態を示すものである。
図１は、本発明の第１の実施の形態における電子時計１の形態を示す概略図であり、
図２は、本発明の第１の実施の形態における電子時計１の、１／１０秒表示部５の形態及び動作を示す図であり、
図３は、本発明の第１の実施の形態における電子時計１の、１／１０秒表示目盛５１と指針５２が運針するステップ数との関係を示す図表である。
【００４５】
図１に示す電子時計１において、２１、２２は時計を操作するための操作部材であり、クロノグラフ機能の操作に使用する。３は、クロノグラフ計時値を表示する指針表示部である。指針表示部３は、計測したクロノグラフ秒を表示する秒表示指針４１と、計測した分を表示するクロノグラフ分表示指針４２と、計測したクロノグラフ１／１０秒を表示するクロノグラフ１／１０秒表示部５により構成される。
【００４６】
さらに、クロノグラフ１／１０秒表示部５は、扇型の１／１０秒表示目盛５１と、扇型の表示領域を移動し計測した１／１０秒を表示する１／１０秒表示指針５２とで構成される。
【００４７】
なお、クロノグラフ１／１０秒表示部５以外の構成要素は本発明を構成しないので、以下では説明を大幅に簡略化する。
【００４８】
また、各指針の駆動には一般的な時計用ステップモータが使用され、その制御には一般的の時計用ＩＣが使用されているため、システム構成の詳細記載も省略する。
【００４９】
クロノグラフ１／１０秒表示部５では、
表示単位区間を１／１０秒、１周期を１秒とし、この１周期を２つの小周期にわけ、
０／１０〜４／１０秒を第１の小周期、５／１０〜９／１０秒を第２の小周期とし、
第１の小周期を往路、第２の小周期を復路とする扇形表示を実施する。
【００５０】
なお、上記第１の小周期と第２の小周期の切り分けは一例であり、例えば、
１／１０〜５／１０秒を第１の小周期、６／１０〜０／１０秒を第２の小周期としても良い（図６参照）。
【００５１】
上記表示を行うに当たり、１／１０秒表示目盛５１は、
上記第１の小周期を表示するための往路指標群５１１と、
上記第２の小周期を表示するための復路指標群５１２と、を有する。
また、往路と復路の切り替わりに相当する「０」と「５」については、往路指標群５１１、復路指標群５１２とは別に、「０」表示５１３、「５」表示５１４を個別表示している。
なお、「０」表示５１３を往路指標群５１１の一部、「５」表示５１４を復路指標群５１２の一部として表示しても良い。（図６参照）。
【００５２】
図２（Ａ）に示すように、往路指標群５１１と復路指標群５１２とは、１／１０秒表示指針５２の進行方向で、単位区間の半分ずれて交互に配置されている。例えば、往路指標群５１１の「１」と「２」の間に、復路指標群５１２の「９」が配置されている。これにより、１／１０秒表示指針５２は、往路指標群５１１と復路指標群５１２の指標を同時に指示することがないので、使用者が往路と復路を誤認することが無い。
【００５３】
なお、両指標のズレ量は単位区間の半分でなくてもよく、往路と復路を誤認することが無いレベルで、単位区間の非自然数（小数点以下を有する正数）倍であればよい。ただし、単位区間の半分のズレ量が最も視認しやすく、配置も容易である。
【００５４】
また、往路指標群５１１と復路指標群５１２はフォントや色などで外観上の差異をつけても良い。これにより、往路と復路の差がより明確になる。
【００５５】
さらに、往路指標群５１１と復路指標群５１２には、１／１０秒表示指針５２の進行方向を示す図形を付与しても良い。図２（Ａ）では、矢印の形状をした往路シンボル５１１１及び復路シンボル５１２１がそれにあたる。これにより、往路と復路の進行方向がより明確になる。
【００５６】
さらに、始点に配置された「０」表示５１３と終点に配置された「５」表示５１４は他の目盛よりも大きなフォントとなっている。
【００５７】
これにより、両指標が折り返し点であることが明確になっている。なお、大きさの他、色やフォントなどの外観上の差異をつけても良い。
【００５８】
図３はクロノグラフ１／１０秒表示目盛５１の配置と１／１０秒表示指針５２の動作を、１／１０秒表示指針５２のステップ数によって表した図である。
ステップ数は始点を０として、時計回りに増加するように振られている。
【００５９】
０／１０〜９／１０秒の表示に使用する総ステップ数は、図４に示す従来技術と同じ９ステップであるが、「０」と「１」、「５」と「６」の間は１ステップ、それ以外の区間は２ステップとなるように配置されていて、往路指標群５１１と復路指標群５１２のズレ量は、最小区間（２ステップ）の半分（１ステップ）となっている。
【００６０】
また、往路と復路では、１／１０秒表示指針５２の運針形態は、進行方向を除き全く同じ運針形態である。
【００６１】
上記の配置により、１／１０秒で２ステップ運針させればよく、ステップモータは正逆とも２０Ｈｚで運針出来ればよいので、図４の従来技術と異なり、一般的な時計用ステップモータを使用しても、１／１０秒表示をリアルタイムで扇表示可能となる。
【００６２】
また、指標間の間隔も、図４に示す従来技術より広く出来るため、指標自体も大きくすることができ、視認性を向上させることが出来る。
【００６３】
図２（Ａ）は、本実施形態の１／１０秒表示部５が２／１０秒を示しているときの図である。図２（Ｂ）は、本実施形態の１／１０秒表示部５が７／１０秒を示しているときの図である。
【００６４】
図２（Ａ）および図２（Ｂ）および図３から明らかなように、１／１０秒表示指針５２が１／１０秒表示目盛５１のどの目盛を表示している場合でも、他の目盛との誤認を起こさないようになっている。
【００６５】
また、指針の移動方向に応じて往路シンボル５１１１または復路シンボル５１２１に付随する指標を読み取ることによって、さらに目盛を読み取りやすくなっている。
【００６６】
［第１の実施の形態における電子時計１の動作］
次に、本実施形態における電子時計１の動作を、図２および図３を用いて説明する。
【００６７】
操作部材２２の操作によって、電子時計１の計時動作が開始されると、１／１０秒表示目盛５１の“０”を指し示していた１／１０秒表示指針５２は、時計回り（往路方向）に回転する。
【００６８】
その回転は、１／１０秒で１目盛分となっており、１／１０秒表示指針５２の差し示す１／１０秒表示目盛５１の値は、電子時計１の計時している１／１０秒と常に同期している。
【００６９】
図２（Ｃ）および図３に示すように、１／１０秒表示目盛５１の“５”を指し示した１／１０秒表示指針５２は、今度は半時計回り（復路方向）に回転を始める。
【００７０】
その回転も往路方向と同じく、１／１０秒で１目盛分となっており、１／１０秒表示指針５２の差し示す１／１０秒表示目盛５１の値は、電子時計１の計時している１／１０秒と常に同期する。
【００７１】
そして、図２（Ｄ）および図３に示すように、１／１０秒表示目盛５１の“０”を指し示した１／１０秒表示指針５２は、再度時計回り（往路方向）に回転を始める。
【００７２】
このとき桁上がりが発生し、秒表示指針４１が約６°回転することによって、計時された秒を表示する。秒表示指針４１が１回転した場合は、分への桁上がりが発生し、分表示指針４２が約６°回転することによって、計時された分を表示する。
【００７３】
［第１の実施の形態の効果］
上記のような構成とすることで、図４（Ａ）に示したような従来の１／１０秒表示に対し、表示領域における目盛の間隔を広く取ることができ、視認性の向上が図れるとともに、単位目盛あたりの移動量を大きく取ることが出来るため、演出性の高い表示を実現することができる。
【００７４】
また、目盛の配置を交互配置とすることで、往路と復路で指示する指標（目盛）を誤認することがなく、正確な目盛の読み取りが可能である。かつ、目盛を構成する数字のフォント等を大きく配置することができるため、より意匠性の高い電子時計１を提供することが出来る。
【００７５】
また、図４（Ｂ）に示したような、目盛“９”から目盛“０”に移動する際に短時間かつ大きな指針移動を必要とする従来の１／１０秒表示の桁上がり時の動作に対し、図３でも示すように短時間での高速な指針動作を行うことなく、１／１０秒のリアルタイムな表示を可能とする電子時計１を提供することができる。
【００７６】
〔第１の実施の形態の第１の変形例〕
本実施の形態における電子時計１の１／１０秒表示部５では、１／１０秒表示指針５２
は一般的な棒状の指針形状をしているが、図５に示すように、１／１０秒表示指針５２の形状を、往路方向および復路方向で差し示す１／１０秒表示目盛５１が明確となるようにすることで、より視認性を向上させた電子時計１を提供することが出来る。
【００７７】
図５では、１／１０秒表示指針５２が、行き方向の目盛“１”から“４”を示すための往路指示部５２１と、帰り方向の目盛“６”から“９”を示すための復路表示部５２２によって構成されている。
【００７８】
なお、本変形例では目盛“０”および“５”は、他の目盛よりも大きく配置されているため、１／１０秒表示指針５２全体で指示することとする。
【００７９】
なお、本変形例における電子時計１の動作は、第１の実施の形態における電子時計１の動作と同一であるため、ここでは説明を省略する。
【００８０】
図５（Ａ）は、本変形例の１／１０秒表示指針５２が２／１０秒を示しているときの図である。図５（Ｂ）は、本変形例の１／１０秒表示指針５２が７／１０秒を示しているときの図である。
【００８１】
このような構成とすることで、１／１０秒表示指針５２が指し示す１／１０秒表示目盛５１が明確となり、より視認性を向上させた電子時計１を提供することが出来る。
【００８２】
もちろん、この第１の変形例は図５に示す実施形態には限定されない。例えば、往路指示部５２１を復路表示部５２２と同様に指標（目盛）を囲む形状とし、往路指示部５２１を四角や三角形状としても良い。こうすれば指示しているのが、往路か復路かがよりいっそう理解しやすい。但し、１／１０秒表示指針５２のモーメント負荷を考慮した場合は、図５の形状のほうが好ましい。
【００８３】
〔第１の実施の形態の第２の変形例〕
また、本実施の形態における電子時計１の１／１０秒表示部５では、１／１０秒表示指針５２は一般的な棒状の指針形状をしているが、図６に示すように表示窓の下を、指示シンボルを備えた表示円盤が回転することで示しても良い。
【００８４】
図６では、扇型の１／１０秒表示窓３１の周囲に１／１０秒表示目盛５１が配置され、１／１０秒表示窓３１の下部には１／１０秒指示シンボル５３１を備えた１／１０秒表示円盤５３がステップモータ等の駆動手段（不図示）により回動可能に配置されている。
【００８５】
図６では、図２や図５と異なり、１／１０〜５／１０秒が第１の小周期、６／１０〜０／１０秒が第２の小周期とされ、両端を示す「５」と「０」がそれぞれ、往路指標群５１１と復路指標群５１２を構成している。
【００８６】
なお、図２や図５と形態は異なるが、対応をわかりやすくするため、符番５１１、５１２をそのまま使用している。
【００８７】
また、本変形例における電子時計１の動作は、指針が表示円盤となっている以外は第１の実施の形態における電子時計１の動作と同一であるため、ここでは説明を省略する。
【００８８】
１／１０秒指示シンボル５３１は、往路指標群５１１である目盛“１”から“５”を示すための下向きの往路指示シンボル５３１１と、復路指標群５１２目盛“６”から“０”を示すための上向きの復路指示シンボル５３１２とで構成されている。
【００８９】
図６（Ａ）は、本変形例の１／１０秒表示指針５２が２／１０秒を示しているときの図である。図６（Ｂ）は、本変形例の１／１０秒表示指針５２が７／１０秒を示しているときの図である。
【００９０】
なお、図６の下向きの往路指示シンボル５３１１と上向きの復路指示シンボル５３１２は、向き以外同一形状となっているが、図５の１／１０秒表示指針５２同様、色・大きさ・形状などの外観に差異を与えても良い。
【００９１】
このような構成とすることで、１／１０秒計時値を表示窓の下を回転する指示シンボルを備えた表示円盤によって視認性よく表示する、意匠性を向上させた電子時計１を提供することができる。
【００９２】
〔第２の実施の形態〕
次に、本発明の第２の実施の形態に係わる電子時計１を図７および図８に基づいて説明する。
第２の実施の形態は、本発明を日表示に適用したものである。従って、単位区間は１日であり、１周期は３１日である。また、表示形態が扇表示ではなく、直進表示となっている。
【００９３】
第２の実施の形態における電子時計１は、図７の概略図に示すように、時刻を修正するための操作部材２と、時刻を表示する指針表示部３とを備え、指針表示部３は、指針表示部３の円形の表示領域内で回転し、現在の時分を表示する時刻表示指針６と、日付を表示する長方形の表示領域をもつ日付表示部７によって構成される。
日付表示部７は、日付表示目盛７１と、日付表示指針７２によって構成される。
【００９４】
また、本実施形態における電子時計１の備える日付表示目盛７１は、図８に示すように、表示領域の方端（始点）から他端（終点）に向かって“１”から“１６”の目盛が振られており、さらに終点から始点に向かって“１７”から“３１”の目盛が振られている。すなわち、１日から１６日が第１の小周期、１７日から３１日が第２の小周期に相当する。
【００９５】
また、往路方向の目盛は往路方向の向きを示すシンボルである往路指標群７１１と一体となって配置されており、また帰り方向の目盛りは帰り方向の向きを示すシンボルである復路指標群７１２と一体となって配置されている。
【００９６】
さらに、日付表示目盛７１はその配置が行き方向（上方向）の目盛と、帰り方向（下方向）の目盛とが交互となるように配置されている。
【００９７】
図８（Ａ）は、本実施形態の日付表示部７が１０日を示しているときの図である。
図８（Ａ）から明らかなように、日付表示指針７２が日付表示目盛７１のどの目盛を表示している場合でも、他の目盛との誤認を起こさないようになっている。
【００９８】
また、指針の移動方向に応じて往路指標７１１または復路指標７１２に付随する目盛を読み取ることによって、さらに目盛を読み取りやすくなっている。
【００９９】
［第２の実施の形態における電子時計１の動作］
次に、本実施形態における電子時計１の動作を、図８を用いて説明する。
【０１００】
計時されている時刻の経過、あるいは操作部材２の操作によって、電子時計１の表示する日付が更新される場合、日付表示指針７２は一目盛分だけ動作する。
【０１０１】
このとき、更新前の日付が１日から１５日の間であった場合、図８（Ａ）のように日付表示指針７２は上方向（行き方向）に動作する。
【０１０２】
更新前の日付が１６日から３１日の間であった場合、図８（Ｂ）のように日付表示指針７２は下方向（戻り方向）に動作する。
【０１０３】
なお、時刻表示指針６の動作は、長短針によって時刻を表示する一般的なアナログ時計と同一であるため、ここでは説明を省略する。
【０１０４】
［第２の実施の形態の効果］
上記のような構成とすることで、従来の日付表示に対し、表示領域における目盛の間隔を広く取ることができ、視認性の向上が図れるとともに、単位目盛あたりの移動量を大きく取ることが出来るため、演出性の高い表示を実現することができる。
【０１０５】
また、目盛の配置を交互配置とすることで、目盛を構成する数字のフォント等を大きく配置することができるため、より意匠性の高い電子時計１を提供することが出来る。
【０１０６】
〔第３の実施の形態〕
次に、本発明の第３の実施の形態に係わる電子時計１を図９および図１０に基づいて説明する。
第３の実施の形態は、本発明を月齢表示に適用したものである。従って、１周期は２９．５日である。
【０１０７】
第３の実施の形態における電子時計１は、図９の概略図に示すように、時刻を修正するための操作部材２と、時刻を表示する指針表示部３とを備え、指針表示部３は、指針表示部３の円形の表示領域内で回転し、現在の時分を表示する時刻表示指針６と、扇型の月齢表示部８によって構成される。
月齢表示部８は、月齢シンボル表示８１と、月齢表示指針８２によって構成される。
【０１０８】
また、本実施形態における電子時計１の備える月齢シンボル表示８１は、図１０に示すように表示領域の方端（始点）を新月（月齢０）、他端（終点）を満月（月齢１５）として、始点から終点に向かって上弦の月を含む月齢１〜１４に相当する月齢シンボルを、終点から始点に向かって下弦の月を含む月齢１６〜２９に相当する月齢シンボルを配置している。
【０１０９】
また、往路方向の月齢シンボルは往路方向の向きを示すシンボルである往路指標群８１１と一体となって配置されており、また復路方向の月齢シンボルは復路方向の向きを示すシンボルである復路指標群８１２と一体となって配置されている。
さらに、新月と満月を除く月齢シンボルはその配置が行き方向（時計回り）のシンボルと、帰り方向（反時計回り）のシンボルとが交互となるように配置されている。
【０１１０】
図１０（Ａ）は、本実施形態の月齢表示部が満月（月齢１５）を示しているときの図である。図１０（Ｂ）は、同じく上弦の月（月齢７．５）を示しているときの図である。図１０（Ｃ）は、同じく下弦の月（月齢２２．５）を示しているときの図である。
【０１１１】
図１０の（Ａ）から（Ｃ）によって明らかなように、月齢表示指針８２が月齢シンボル表示８１のどのシンボルを表示している場合でも、他のシンボルとの誤認を起こさないようになっている。
【０１１２】
また、指針の移動方向に応じて往路指標８１１または復路指標８１２に付随する目盛を読み取ることによって、さらに目盛を読み取りやすくなっている。
【０１１３】
［第３の実施の形態における電子時計１の動作］
次に、本実施形態における電子時計１の動作を、図１０を用いて説明する。
【０１１４】
計時されている時刻の経過、あるいは操作部材２の操作によって、電子時計１の表示する月齢が更新される場合、月齢表示指針８２は１シンボル分だけ動作する。
【０１１５】
このとき、更新前の月齢が０から１４の間であった場合、月齢表示指針８２は時計回り（往路方向）に回転する。更新前の月齢が１６から２９の間であった場合、月齢表示指針８２は反時計回り（復路方向）に回転する。
【０１１６】
なお、時刻表示指針６の動作は、長短針によって時刻を表示する一般的なアナログ時計と同一であるため、ここでは説明を省略する。
【０１１７】
［第３の実施の形態の効果］
上記のような構成とすることで、従来の指針式の月齢表示に対し、表示領域における月齢表示シンボル８１の間隔を広く取ることができ、視認性の向上が図れるとともに、単位目盛あたりの移動量を大きく取ることが出来るため、演出性の高い表示を実現することができる。
【０１１８】
また、新月（月齢０）と満月（月齢１５）の場合、表示領域の端部を月齢表示指針８２が指示するため、よりわかりやすい月齢表示を行うことが可能となる。
【０１１９】
［そのほかの実施形態］
第１および第２および第３の実施の形態、およびその変形例では、１／１０秒表示、日付表示及び月齢表示を行う電子時計の例を示したが、本発明はこれに限らず、秒、分、時、月や月齢、曜日などあらゆる計時情報の表示に適用することが可能である。
【０１２０】
小周期の数は２個として説明してきたが、指示する指標（目盛）が多い場合は、もちろんそれ以上細かく分けても良い。
【０１２１】
例えば、第１の実施例では１／１０秒表示を説明したが、１／２０秒表示とした場合、４個の小周期としても良い。また、日表示では、３個の小周期としても良い。要するに、指標が配置可能な面積や指標の数を考慮し、適宜設定が可能である。
【０１２２】
また、第１、第２および第３の実施の形態、およびその変形例では、情報表示装置として、時刻情報および計時情報を表示する時計の例を示したが、本発明はこれに限らず、これ以外の情報表示装置に適用することも可能である。
【０１２３】
例えば、自動車等の速度等を示す計器類、スチルカメラ等の撮影情報（絞り、シャッタースピード）等を表示する表示装置、各種計測装置の表示など、所定範囲で往復動作を行う表示などに適用可能である。
【０１２４】
また、第１および第２および第３の実施の形態、およびその変形例では、表示部材にステップモータ等の駆動手段によって駆動される指針または表示円盤を用いたが、本発明はそれに限らず液晶などの画面上に表示される指針、またはシンボル等によって表示される電子情報表示装置にも適用することが可能である。また、機械式時計への適用も可能である。
【符号の説明】
【０１２５】
１…電子時計
２…操作部材
２１…操作部材
２２…操作部材
３…指針表示部
３１…１／１０秒表示窓
４１…秒表示指針
４２…分表示指針
５…１／１０秒表示部
５１…１／１０秒表示目盛
５１１…往路指標群
５１１１…往路シンボル
５１２…復路指標群
５１２１…復路シンボル
５１３…「０」表示
５１４…「５」表示
５２…１／１０秒表示指針
５２１…往路表示部
５２２…復路表示部
５３…１／１０秒表示円盤
５３１…１／１０秒表示シンボル
５３１１…往路指示シンボル
５３１２…復路指示シンボル
６…時刻表示指針
７…日付表示部
７１…日付表示目盛
７１１…往路指標群
７１２…復路指標群
７２…日付表示指針
８…月齢表示部
８１…月齢シンボル表示
８１１…往路指標
８１２…復路指標
８２…月齢表示指針 
【図６】
0005787656.tif 000002
【図１】
0005787656.tif 000003
【図２】
0005787656.tif 000004
【図３】
0005787656.tif 000005
【図４】
0005787656.tif 000006
【図５】
0005787656.tif 000007
【図７】
0005787656.tif 000008
【図８】
0005787656.tif 000009
【図９】
0005787656.tif 000010
【図１０】
0005787656.tif 000011